(57)【要約】      （修正有）【課題】軽量で保水性に優れ、且つ強度があり植物の生育が良く、古紙や稲藁から安価で簡単に得られる軽量成形物を提供する。【解決手段】裁断紙に籾殻又はおが屑或いはその両者の粉末と、セメント及び水を加えて混練し、これを型に入れて成形乾燥し、成形物は、植木鉢、苔や植物栽培用のボックス或いはポットなどの容器類、苔プレート、レンガ、花壇用レンガ、植生法面工事用スペーサー１であることを特徴とする。さらに、稲藁或いは裁断した稲藁スサを水に浸漬して発酵させて得た稲藁発酵液に裁断紙を浸漬して裁断紙を一部溶解し、該一部溶解物を脱水して使用するものでもある。【選択図】図４
0003182879.tif 000002
【実用新案登録請求の範囲】
【請求項１】
裁断紙に籾殻又はおが屑或いはその両者の粉末と、セメント及び水を加えて混練し、これを型に入れて成形乾燥することを特徴とする軽量成形物。
【請求項２】
成形物は、植木鉢、苔や植物栽培用のボックス或いはポットなどの容器類、苔プレート、レンガ、花壇用レンガ、法面工事用スペ−サ−である請求項１記載の軽量成形物。
【請求項３】
稲藁或いは裁断した稲藁スサを水に浸漬して発酵させて得た稲藁発酵液に裁断紙を浸漬して裁断紙を一部溶解し、該一部溶解物を脱水してして使用するものである、請求項１又は請求項２記載の軽量成形物。
【請求項４】
裁断紙と籾殻やおが屑の粉末とセメントの使用割合は、裁断紙１０Ｋｇ当たり籾殻やおが屑の粉末６〜８Ｋｇとセメント２．０〜１５．０Ｋｇである請求項１乃至請求項３記載の軽量成形物。
【請求項５】
含水率５０〜６０％の裁断紙と籾殻やおが屑の粉末混合物４０Ｌとセメント２Ｌ〜１５Ｌを混合した請求項１乃至請求項３記載の軽量成形物。
【請求項６】
本体の縦横寸法が、法面の植生吹き付け面に張設したラス金網一辺の長さよりも短く、厚みは植生の吹きつけ厚にほぼ等しいものであり、且つ本体の中央に、幅0.3 〜0.6 ｃｍ、厚みの半分の切れ目が設けられているものであり、ラス金網への取り付けは枡目をなす金網のワイヤの一辺に切れ目を挿入して反転させて行うものである植生法面工事用スペ−サ−。
【請求項７】
長さと幅４.5ｃｍで、厚みが３ｃｍ、５ｃｍ又は７ｃｍの本体の中央に、幅0.3 〜0.6 ｃｍ、深さ１.5ｃｍ、２.5又は３.5ｃｍの切れ目が設けられているものである請求項６記載の植生法面工事用スペ−サ−。
【考案の詳細な説明】
【技術分野】
【０００１】
本考案は、新規軽量な植木鉢、苔や植物栽培用のボックスやポットなどの容器類、法面工事用スペ−サ−に関するものである。
【背景技術】
【０００２】
本考案者は、裁断紙を用いた軽量土壌の製造に成功した。これは、裁断紙を、稲藁或いは裁断した稲藁スサを水に浸漬して発酵させて得た稲藁発酵液に浸漬して裁断紙を一部溶解膨潤し、該一部溶解物を脱水し、造粒機で造粒し次いで乾燥したものである。
【０００３】
この軽量土壌は、軽量で吸水性に優れ（３２０〜３４０％程度吸収、含水比３００〜３５０％、水／紙＋水は６０〜８０％）、保水性や通気性にも富み、屋上緑化などに最適なものである。
【０００４】
一方、この軽量土壌の原料である膨潤した裁断紙に稲藁スサを加えて板状や容器状に成形すると、軽量な植物栽培用基盤や栽培ボックスがえられる。しかし、栽培用基盤はともかくとして栽培ボックス等の容器類では、水によって形が崩れてしまい、形を継続維持なくなり容器として全く用をなさない。
【０００５】
尚、古紙とセメントと水の混練物を回転する型に入れて成形する技術が特許文献１に記載されているが、これは古紙をシュレッダーで破砕した紙繊維を水と混練して溶解し、これにセメントを混入してモルタル状にして成形するものである。
【先行技術文献】
【特許文献】
【０００６】
【特許文献１】特開２０００−１９８１０６号公報
【考案の概要】
【考案が解決しようとする課題】
【０００７】
特許文献１の場合、古紙は溶解した後セメントと混練するので嵩高性はあまり期待できない。また、古紙とセメントの割合は明細書に記載されておらず、どの程度故紙が使用されるかは明確ではない。
【課題を解決するための手段】
【０００８】
これに対し、本考案では幅３〜８ｍｍ、長さ３〜８ｃｍ程度の裁断紙をそのままセメント及び水と混合ししかも籾殻やおが屑も加えるので、嵩高性が保持でき、その成形乾燥物は軽量なものが得られる。
【０００９】
裁断紙は、普通の古紙をそのまま或いは水に浸漬したのち絞り、これに籾殻やおが屑とセメントを攪拌機などで混ぜ、これを型に入れて成形した後乾燥する。裁断紙を、稲藁発酵液に数〜十数日（３〜１４日）程度浸漬して放置した後に大型篩などで絞って使用すると裁断紙は形状を崩して膨潤し或いは直径５ｍｍ位のボール状となるので、籾殻やおが屑と混ざりやすい。また、発酵液が養分になるのか成形した容器で植物を栽培すると生育が良好になる。
【００１０】
裁断紙は、新聞紙、週刊誌、雑誌、事務用紙、レポート用紙などを３〜８ｍｍ幅長さ３〜８ｃｍ程度に裁断したものである。水は、水道水や井戸水その他何でも使用できる、稲藁発酵液は、タンクに裁断した稲藁と水を入れ、４−１０日程度放置することにより得られる。
【００１１】
セメントは、固化剤として使用するもので、セメントを使用する事によって、型を用いて多種多様な形状のものをつくることができるとともに、得られた物は長期の使用に耐える。また、形がそのまま残っている裁断紙や籾殻、おが屑のために、成形物は軽量でしかも断熱性に富む。
【００１２】
本考案で言う成形物は、植木鉢、苔や植物栽培用のボックス或いはポットなどの容器類の他、苔プレート、レンガ、花壇用レンガ、法面工事用スペ−サ−が考えられる。尚、裁断紙と籾殻やおが屑の粉末とセメントの使用割合は、裁断紙１０Ｋｇ当たり籾殻やおが屑の粉末６〜８Ｋｇとセメント２．０〜１５．０Ｋｇである。或いは、取り扱いを簡便にするために、含水率５０〜６０％の裁断紙と籾殻やおが屑の粉末混合物４０Ｌとセメント２Ｌ〜１５Ｌを混合するようにしてもよい。
【００１３】
次に、植生法面工事用スペ−サ−（図４符号１）を例に取って、セメント含有量によって成形物の圧縮性がどう変化するかを図１乃至図３に基づいて説明する。図１は、荷重を掛けた場合の圧縮量の変化を３種類の試料について測定したものである。これによると、セメントを含まない場合（グラフ△）が最も圧縮量が大きく、最も圧縮量が少ないのはセメントを含むサンプルに水を含浸（２４時間）させたもの（グラフ×に○）である。尚セメント含有量は１バッチ当たり１０Ｋｇであり、水には２４時間漬けた。中間の圧縮は水に漬けないセメント含有のサンプル（グラフ・に○）であった。尚、１バッチ（１回混練）とは、紙１０Ｋｇ、籾殻7.５Ｋｇ、水６０Ｌ、それにセメントを加えたものである。
【００１４】
図２は、セメント量（右目盛り）及び圧縮量（左目盛り）とカサ比重（Ｘ軸）の関係を示すものである。ここで、折線（１）は折線（２）の時のセメント量に対する圧縮量で、セメント量１6.２Ｋｇ以上では圧縮量は０ｍｍになることを示す。そして、セメント量９Ｋｇでは圧縮量が２ｍｍ、セメント量１2.４Ｋｇでは圧縮量が1.７ｍｍ、セメント量が１6.２Ｋｇでは圧縮量が０ｍｍとなる。尚、嵩比重は、折線（２）で示すように、セメント量９Ｋｇで0.３５、セメント量１2.４Ｋｇでかさ比重が0.４、１6.2 Ｋｇで0.４５、１9.９Ｋｇでは0.５０となる。
【００１５】
尚、図２でセメント量とは、１バッチ（１回混練）即ち裁断紙１０Ｋｇ＋籾殻７.5Ｋｇ＋セメント９〜１５Ｋｇ＋水６０Ｌを基本としてコンクリートミキサーで混練し、型（４.5ｃｍ角）に流し込み、成形乾燥させたものにおけるセメント量を言う。
【００１６】
図３は成形品のセメント量と保水量の関係を示す。この図から明らかなように、セメント量が変わっても（９Ｋｇ〜１９.9Ｋｇ），保水量は殆ど変わらない（６4.７％〜６1.０％）。
【００１７】
このことにより、植生法面工事用スペ−サ−が保水性に富み、植物の活着にプラスになることが明らかとなる。また、この資材を用いて植木鉢や苔プレートを成形すると、保水性に富み且つ空隙に植物の根の侵入を許しながら成形品全体で培養土の役割を果たすものが得られる。
【００１８】
上記において、水は通常の水道水などでもよいが、稲藁醗酵液を用いると裁断紙が一部溶解した状態になる。即ち、水２０〜４０Ｌを、大きなポリバケツに入れた４０Ｌ程度の裁断紙に加え、数日〜十数日（冬季で１〜２週間、夏季で４〜１０日程度）放置し、或いは数回攪拌すると、裁断紙の一部が溶解し始める。この状態で、セメントや籾殻を加えてコンクリートミキサーで攪拌回転させ、取り出して成形する。裁断紙は大型篩などに移して脱水してから使用してもよい。
【００１９】
この場合、裁断紙は丸く成形されるとともに、稲藁の成分を含んでいるので、植物の栽培に有利となる。
【考案の効果】
【００２０】
以上詳述したように、本考案は、裁断紙に籾殻やおが屑の粉末とセメント及び水を加えて混練し、これを型に入れて成形乾燥することにより得られる成形物を提供する。この成形物は、紙裁断品が主成分であるので、軽量であり、また吸水性、保水性に優れ且つ安価であるので、植木鉢、苔や植物栽培用のボックス或いはポットなどの容器類、苔プレート、レンガ、花壇用レンガ、法面工事用スペ−サ−として非常に有用である。
【００２１】
従って、
（１）この成形物は、紙裁断品が主成分であるので、軽量であり、また吸水性、保水性に優れ且つ安価であるので、植木鉢、苔や植物栽培用のボックス或いはポットなどの容器類、苔プレート、レンガ、花壇用レンガ、法面工事用スペ−サ−として非常に有用である。
（２）材料は、主として古新聞や雑誌などの廃物と水それに籾殻やセメントであり、安価に得られる。
。
（３）本考案の軽量成形物は、屋上緑化や、室内での植木鉢等の用具として用いることができる。
（４）本考案の植生法面工事用スペ−サ−は、従来のプラスチック製品と異なり安価に得られるとともに、とりつけが簡単であり、しかも使用後は消滅するので後に何らの問題も残さない。
【図面の簡単な説明】
【００２２】
【図１】セメント含有の有無による成形物の圧縮性を示すグラフである。（実施例１）
【図２】セメント量と圧縮量と嵩比重の関係を示すグラフである。（実施例１）
【図３】セメント量と保水性の関係を示すグラフである。（実施例１）
【図４】植生法面工事用スペ−サ−の一例を示す斜視図である。（実施例１）
【図５】図５の（ａ）（ｂ）は、植生法面工事用スペ−サ−の使用例を示す斜視図である。（実施例１）
【図６】植木鉢の一例を示す斜視図である。（実施例２）
【図７】苔プレートの一例を示す斜視図である。（実施例３）
【図８】レンガの一例を示す斜視図である。（実施例４）
【考案を実施するための形態】
【００２３】
裁断紙、籾殻、セメントに水或いは稲藁発酵液を加えて攪拌機（コンクリートミキサー）で攪拌する。これを取り出して型に入れ、脱型ご乾燥させて植生法面工事用スペ−サ−や植木鉢、苔プレート、レンガなどを得る。
【実施例１】
【００２４】
以下、本考案を図面に基づいて詳細に説明する。図４は、本考案にかかる植生法面工事用スペ−サ−１の一例を示す。この植生法面工事用スペ−サ−１は、３〜８ｍｍ幅、長さ３〜８ｃｍ程度に裁断した裁断紙１０Ｋｇ当たり籾殻やおが屑の粉末６〜８Ｋｇとセメント２.0〜１5.０Ｋｇに水或いは稲藁醗酵液６０Ｌとともにコンクリートミキサーに入れて攪拌する。これを取り出して型に入れ、脱型後乾燥させる。或いは、取り扱いを簡便にするために、含水率５０〜６０％の裁断紙と籾殻やおが屑の粉末混合物４０Ｌとセメント２Ｌ〜１５Ｌを混合するようにしてもよい。
【００２５】
植生法面工事用スペ−サ−１は、図４に示すように長さと幅４.5ｃｍで、厚みが５ｃｍの本体１ａの中央に、幅0.3 〜0.6 ｃｍ、深さ２.5ｃｍの切れ目１ｂが設けられている。
【００２６】
この植生法面工事用スペ−サ−１は、図５（ａ）に示すように、法面２の植生吹き付け面に張設した金網３の一部のワイヤ３ａに植生法面工事用スペ−サ１の切り目をはめ込み、同図（ｂ）に示すように反転させることにより取り付ける。この場合、植生吹きつけ面の厚みは５ｃｍであるので、本考案の植生法面工事用スペ−サ−１を用いることにより、金網３が吹きつけ面のほぼ中央にくることになる。尚、用いる植生法面工事用スペ−サ−１の数は１平方ｍあたり１〜３個程度である。
【００２７】
厚み管理用の植生法面工事用スペ−サ−１の設置は、図５（ａ）に示すように、法面２の植生の吹き付け面に張設したラス金網３の一部のワイヤ３ａに植生法面工事用スペ−サ−１の切り目１ａを挿入し、次いで図５（ｂ）のように反転させることにより行う。従って、取り付け時間は１個当たり約５秒と短く、また取り付け個数は金網１平方ｍあたり１〜３個であるので、全金網への取り付けでも、全金網を歩くのとそう変わらない短時間に取り付けが行われる。また、取り付け施工後、ブロック１周辺のラス金網３を踏み付けても、ブロックに変形及び破損は見られなかったが、ブロック１自体を踏みつけたときには、若干圧縮され歪みが生じた。踏みつけをやめると圧縮や歪みは復元した。
【００２８】
植生（土や腐葉土、植物の種子等）を吹きつけた場合、ブロック１が隠れた時点で厚みｔ＝５ｃｍを確保出来た（設計吹きつけ厚ｔ＝５ｃｍ、実測吹きつけ厚ｔ＝５ｃｍ）。尚、吹きつけ後、ブロック１を設置した箇所が設計厚より0.５〜１.0ｃｍほど突き出たが、設置個数は１〜３個／ｍ2 程度であるため、成果品（植生吹きつけ面）に対して特に支障はないと判断される。
【００２９】
植生の吹きつけ厚は、場所により３ｃｍ或いは７ｃｍの寸法をとることがある。その場合もラス金網３の一辺の目の寸法は同じなので、植生法面工事用スペ−サ−の縦横寸法は同じで厚みが３ｃｍ、７ｃｍとなり、切り目の深さ寸法が１.5或いは３ .5 ｃｍとなる点が異なる。
【００３０】
次に、この植生法面工事用スペ−サ−１の保水機能に付いて説明する。表１は、３個の植生法面工事用スペ−サ−１（１バッチにセメント１6.２Ｋｇ）の乾燥時重量と同じものを２４時間水に浸漬した時の重量から、保水量を計測した結果を示すものである（単位はｇ）。この結果、保水量はブロック重量の約３倍となった。但し、含浸後の寸法は含浸前の寸法と殆どかわらない。尚、４日間水に浸漬しておいても、殆ど変形は無く、崩れも見られなった。但し、２４時間浸漬後に外力を加えると簡単に崩れてしまうので、セメント量を増やすなどより結合力の強化が必要となる。
【表１】
0003182879.tif 000003
【００３１】
ただ、この植生法面工事用スペ−サ−１は、ラス金網３への取り付け後に生コンを吹きつけるので、生コンの水を吸収して膨らむが、そう大きな影響はないと思われる。
【００３２】
尚、従来植生法面工事用スペ−サ−としては、プラスチック成形品が用いられているが、プラスチック成形品故コストがかかり、しかも使用後（生コン吹きつけ後）も吹きつけ面にそのまま残る。これに対し、本考案の植生法面工事用スペ−サ−は、安価に得られるとともに使用後速やかに分解するのでこのよう問題は生じない。また、その取り付けは簡単で５秒以内に１個の取り付けが完了するなど優れたものである。
【実施例２】
【００３３】
図６は、実施例１と同じ素材を用いて製造した植木鉢４の一例を示す。この植木鉢４は上の直径が２０ｃｍ、深さが２５ｃｍ、厚みが１ｃｍのものである。この植木鉢４は植物を植えると、保水性に富み空隙に根の侵入を許しながら、製品全体で培養土の役目をはたす。より丈夫にするには、厚みを増せばよい。従って、通常の附焼き粘土や釉薬粘土の植木鉢と異なり、水や空気の流通が良好で植物の生育に好ましいものである。また、フラスチック苗用のポットと同じ寸法の鉢を作るとそのまま苗木用の鉢としてそのまま地面に植えることができる。
【実施例３】
【００３４】
図７は３個ずつの苔栽培用の穴（３ｃｍ立方）５ａを６列設けた苔プレート５（３０ｃｍ四方、深さ５ｃｍ）を示す。この苔プレート５は１バッチ当たりセメント１９.9Ｋｇとした素材を用いている。そして、同様に水をやると吸水し、苔７の生育を良好ならしめるものである。
【実施例４】
【００３５】
図８は、実施例３と同じ素材を用いて作った花壇用のレンガ８を示す。その寸法は通常のレンガと同じであるが、花壇の周囲に配置すると、散水した結果の水を良く保持し、植物の生育を良好にする。尚、花壇用以外に庭の通路の境界に用いたりすることもできる。
【産業上の利用可能性】
【００３６】
裁断紙に籾殻やおが屑の粉末とセメント及び水を加えて混練し、これを型に入れて成形乾燥することにより得られる成形物を提供する。この成形物は、紙裁断品が主成分であるので、軽量であり、また吸水性、保水性に優れ且つ安価であるので、植木鉢、苔や植物栽培用のボックス或いはポットなどの容器類、苔プレート、レンガ、花壇用レンガ、法面工事用スペ−サ−として非常に有用である。
【符号の説明】
【００３７】
１    植生法面工事用スペ−サ−
１ａ  本体
１ｂ  切り目
２    法面
３    ラス金網
３ａ  ワイヤ
４    植木鉢
５    苔プレート
６    苔
７    花壇用レンガ
【図１】
0003182879.tif 000004
【図２】
0003182879.tif 000005
【図３】
0003182879.tif 000006
【図４】
0003182879.tif 000007
【図５】
0003182879.tif 000008
【図６】
0003182879.tif 000009
【図７】
0003182879.tif 000010
【図８】
0003182879.tif 000011
【手続補正書】
【提出日】平成25年2月7日(2013.2.7)
【手続補正２】
【補正対象書類名】実用新案登録請求の範囲
【補正対象項目名】全文
【補正方法】変更
【補正の内容】
【実用新案登録請求の範囲】
【請求項１】
裁断紙に籾殻又はおが屑或いはその両者の粉末と、セメント及び水を加えて混練し、これを型に入れて成形乾燥することを特徴とする軽量成形物。
【請求項２】
成形物は、植木鉢、苔や植物栽培用のボックス或いはポットなどの容器類、苔プレート、レンガ、花壇用レンガ、法面工事用スペーサーである請求項１記載の軽量成形物。
【請求項３】
稲藁或いは裁断した稲藁スサを水に浸漬して発酵させて得た稲藁発酵液に裁断紙を浸漬して裁断紙を一部溶解し、該一部溶解物を脱水して使用するものである、請求項１又は請求項２のいずれか一項に記載の軽量成形物。
【請求項４】
裁断紙と籾殻やおが屑の粉末とセメントの使用割合は、裁断紙１０Ｋｇ当たり籾殻やおが屑の粉末６〜８Ｋｇとセメント２．０〜１５．０Ｋｇである請求項１乃至請求項３のいずれか一項に記載の軽量成形物。
【請求項５】
含水率５０〜６０％の裁断紙と籾殻やおが屑の粉末混合物４０Ｌとセメント２Ｌ〜１５Ｌを混合した請求項１乃至請求項３のいずれか一項に記載の軽量成形物。